(57)【要約】      （修正有）【課題】小型で、好適な識別効果を有する、フォグランプ機能と発光警告機能を兼ね備える複合式車両ランプを提供する。【解決手段】複合式車両ランプは、外殻２、外殻内部に取り付けられるフォグランプユニット３、発光警告ユニット４を含み、外殻は、取り付け空間２３、及び取り付け空間内に取り付けられるベース２４を含み、ベースは、シェルフ壁を有し、フォグランプユニットは、フォグランプ発光部材３２、及びシェルフ壁に取り付けられ、フォグランプ発光部材の光源をフォグランプの光形及び輝度に符合させるフォグランプレンズ３３を含み、発光警告ユニットは、シェルフ壁上に取り付けられる導光バー４１、及び導光バーに光源を提供する警告発光部材４４を含む。小型で複合の光源を発生することができ、更に、導光バーにより良好な識別性をもたせることができる。【選択図】図１
0003197661.tif 000002
【実用新案登録請求の範囲】
【請求項１】
１つの取り付け空間、及び該取り付け空間内に取り付けられる１つのベースを含み、該ベースは、１つのシェルフ壁、及び該シェルフ壁を貫通するフォグランプ取り付け孔を有する外殻と、
１つのフォグランプ発光部材、及び該ベースのフォグランプ取り付け孔に取り付けられ、該フォグランプ発光部材の光源をフォグランプの光形及び輝度に符合させる１つのフォグランプレンズを含むフォグランプユニットと、
該シェルフ壁上に取り付けられる１つの導光バー、及び該導光バーが発光に要する光源を提供する１つの警告発光部材を含む発光警告ユニットと、
を含む複合式車両ランプ。
【請求項２】
前記ベースは、該フォグランプ及び該シェルフ壁に設置される１つの取り付け部を有し、該取り付け部は、更に、該フォグランプ取り付け孔を囲う１つの凸環フレーム、及び該シェルフ壁を貫通し、該凸環フレームに近隣する少なくとも１つの導光孔を有し、該導光バーは、該凸環フレームを囲い、該導光孔に近隣する少なくとも１つの入光面を有し、該警告発光部材は、該導光孔を経由して光源を該導光バーの入光面に投射することができる請求項１に記載の複合式車両ランプ。
【請求項３】
前記ベースは、該フォグランプ及び該シェルフ壁に設置される１つの取り付け部を有し、該取り付け部は、更に、該フォグランプ取り付け孔を囲う１つの凸環フレーム、及び該シェルフ壁を貫通し、該凸環フレームに近隣する２つの導光孔を有し、該導光バーは、該凸環フレームを囲い、該長手方向相反側に位置する２つの入光面を有し、該入光面は、それぞれ該ベースの該導光孔に近隣し、該発光警告ユニットは、２つの警告発光部材を含み、該警告発光部材は、それぞれ該導光孔を経由して光源を該導光バーの該入光面に投射する請求項１に記載の複合式車両ランプ。
【請求項４】
前記発光警告ユニットは、更に、１つの第１取り付け構造、及び１つの第２取り付け構造を含み、該警告発光部材は、それぞれ該第１取り付け構造及び該第２取り付け構造上に取り付けられる請求項３に記載の複合式車両ランプ。
【請求項５】
前記フォグランプユニットは、更に、該フォグランプ発光部材を取り付けさせる１つの回路板を含み、該第１取り付け構造及び該第２取り付け構造は、該回路板と共に該外殻上に取り付けられ、該第１取り付け構造は、該回路板と貼付される１つの第１固定部、及び該第１固定部から該外殻の該導光孔のうち１つへ突出する１つの第１組み立て部を有し、該第２取り付け構造は、該回路板と貼付される１つの第２固定部、及び該第２固定部から該外殻の該導光孔のもう１つへ突出する１つの第２組み立て部を有し、前記警告発光部材は、それぞれ該第１及び第２組み立て部上に取り付けられる請求項４に記載の複合式車両ランプ。
【請求項６】
前記外殻のベースは、更に、側方向導光部を有し、該側方向導光部は、１つの開口、及び該開口に近隣し、１つの側面導光面を有する１つの側面支持壁を有し、該第１取り付け構造は、更に、該開口方向へ延伸する１つの方向ランプ取り付け部を有し、前記発光警告ユニットは、更に、該第１取り付け構造の方向ランプ取り付け部上に取り付けられ、光源を該側面導光面に投射する１つの方向発光部材を含む請求項５に記載の複合式車両ランプ。
【請求項７】
前記フォグランプユニットのフォグランプレンズは、該フォグランプ取り付け孔に対応し且つ横長バー形状の１つのレンズ主部、及びレンズ主部を囲い、該ベース上に取り付けられる１つのフレーム部を有する請求項６に記載の複合式車両ランプ。
【請求項８】
前記発光警告ユニットは、更に、該警告発光部材を取り付けさせる１つの第１取り付け構造を含む請求項２に記載の複合式車両ランプ。
【考案の詳細な説明】
【技術分野】
【０００１】
本考案は、車両ランプに関し、特に、フォグランプ機能及び発光警告機能を兼ね備える複合式車両ランプに関する。
【背景技術】
【０００２】
一般の車両の設計において、霧、雨、視界不良等の場合の使用時の安全性を向上する為、何れも車両の前方両側にそれぞれ１つのフォグランプを取り付け、白昼の車両走行の安全性を向上する為、幾つかの車両は、例えば、デイタイムランニングライト等の警告光源を増設し、例えば、証書番号第Ｍ４１６５７０号の実用新案は、フォグランプ機能及び発光警告機能を兼ね備える複合式車両ランプである。
【０００３】
この種の車両ランプは、二種の異なる機能を有するが、前記目的を達成する為、車両ランプ内部に該フォグランプユニットを囲う複数の発光部材を取り付ける必要がある以外、更に、該発光部材の輝度を増加する反射ソケットを取り付ける必要があり、従って、従来の複合式車両ランプの体積は、比較的大きく、現有の車両への取り付けに適さない。このほか、反射ソケット及び発光部材を利用し、発光警告の効果を発生することができるが、識別効果を有するパターンを配列し難く、故に従来の複合式車両ランプの識別性が比較的悪くなる。
【先行技術文献】
【特許文献】
【０００４】
【特許文献１】台湾登録実用新案第Ｍ４１６５７０号公報
【考案の概要】
【考案が解決しようとする課題】
【０００５】
本考案の目的は、体積を縮小することができ、好適な識別効果を有する複合式車両ランプを提供することにある。
【課題を解決するための手段】
【０００６】
本考案の複合式車両ランプは、外殻、及び該外殻内部に取り付けられる１つのフォグランプユニット、１つの発光警告ユニットを含み、該外殻は、１つの取り付け空間、及び該取り付け空間内に取り付けられる１つのベースを含み、該ベースは、１つのシェルフ壁を有し、該シェルフ壁は、１つのフォグランプ取り付け孔を有し、該フォグランプユニットは、１つのフォグランプ発光部材、及び該ベースのフォグランプ取り付け孔に取り付けられ、該フォグランプ発光部材の光源をフォグランプの光形及び輝度に符合させる１つのフォグランプレンズを含み、該発光警告ユニットは、該シェルフ壁上に取り付けられる１つの導光バー、及び該導光バーが発光に要する光源を提供する１つの警告発光部材を含む。
【考案の効果】
【０００７】
本考案の有益な効果は、以下にある：該フォグランプユニット及び該発光警告ユニットの組み合わせにより、体積を縮小する状況で複合の光源を発生することができ、更に、該導光バーを利用して識別性を有するパターンを形成し、該車両ランプの識別効果を向上させることができる。
【図面の簡単な説明】
【０００８】
【図１】本考案の車両ランプの好適実施例の１つの立体分解図である。
【図２】該車両ランプのベース及び導光バーの対応関係を説明する立体分解図である。
【図３】該好適実施例の正面断面説明図である。
【図４】該好適実施例の縦方向組み合わせ断面図である。
【考案を実施するための形態】
【０００９】
本考案の詳細な説明の前に、注意すべき点として、以下の説明内容において、類似する部材は、同一の符号で表示する。
【００１０】
図１〜図４を参照し、本考案の複合式車両ランプの好適実施例は、１つの外殻２、及び該外殻２内部に取り付けられる１つのフォグランプユニット３、１つの発光警告ユニット４を含む。該外殻２は、１つの取り付けソケット２１、該取り付けソケット２１前方に取り付けられ、且つ透光の１つのランプカバー２２、該ランプカバー２２及び該取り付けソケット２１により定義される１つの取り付け空間２３、及び該取り付け空間２３内部に取り付けられる１つのベース２４を含む。
【００１１】
該ベース２４は、該ランプカバー２２前後と被せ合わさる１つの係合部２４１、該係合部２４１から後方へ延伸する１つの囲い環部２４２、該囲い環部２４２と接続し、共同で環状を形成する１つの側方向導光部２４３、及び該囲い環部２４２及び該側方向導光部２４３の間に接続する１つの取り付け部２５を有する。該側方向導光部２４３は、１つの開口２４４、及び側辺へ突出し且つ孤形の１つの側面支持壁２４５を有し、該側面支持壁２４５は、側辺へ向く１つの側面導光面２４６を有する。
【００１２】
該取り付け部２５は、直立した１片のシェルフ壁２５１、前後方向に該シェルフ壁２５１を貫通する１つのフォグランプ取り付け孔２５２、該フォグランプ取り付け孔２５２外周を囲い、前向きに突出する１つの凸環フレーム２５３、該シェルフ壁２５１を貫通し、該凸環フレーム２５３に近隣する２つの導光孔２５４、及び該導光孔２５４に位置する２つの前方であり且つ断面が三角形である２つの凸壁２５５を有し、各凸壁２５５５は、何れも側辺へ向く１つの光出口２５６を有する。
【００１３】
本実施例の該フォグランプユニット３は、該取り付けソケット２１に取り付けられ、該ベース２４後方に位置する一片の回路板３１、該回路板３１中間に取り付けられる１つのフォグランプ発光部材３２、及び該取り付け空間２３内に位置し、該ベース２４上に掛けられる１つのフォグランプレンズ３３を含み、該フォグランプレンズ３３は、該ベース２４のフォグランプ取り付け孔２５２から突出する１つのレンズ主部３３１、該レンズ主部３３１を囲う１つのフレーム部３３２、及び該フレーム部３３２を該ベース２４上に取り付ける２つの螺子３３３を有する。
【００１４】
該発光警告ユニット４は、該ベース２４にシェルフ壁２５１上に取り付けられ、該凸環フレーム２５３を囲う１つの導光バー４１、該回路板３１と該取り付けソケット２１に共に取り付けられる１つの第１取り付け構造４２、該回路板３１と共に該取り付けソケット２１上に組み立てられる１つの第２取り付け構造４３、該第１及び該第２取り付け構造４２，４３上に取り付けられる２つの警告発光部材４４、及び該第１取り付け構造４２上に取り付けられる１つの方向発光部材４５を含む。該導光バー４１の形式は、特別な制限を有さず、本好適実施例は、断面が三角形である可撓性バー状物を開示し、該導光バー４１は、長さ方向相反側に位置する２つの入光面４１１を有し、前記入光面４１１は、それぞれ該ベース２４の光出口２５６に近隣する。
【００１５】
本実施例の該第１取り付け構造４２は、孤形であり且つ該回路板３１前方辺縁に貼付される１つの第１固定部４２１、該第１固定部４２１から前へ延伸する１つの第１組み立て部４２２、及び該第１固定部４２１から該ベース２４の開口２４４へ延伸する１つの方向ランプ取り付け部４２３を有し、該第２取り付け構造４３は、孤形であり且つ該回路板３１前方辺縁に貼付される１つの第２固定部４３１、及び該第２固定部４３１から前向きに延伸する第２組み立て部４３２を有し、該第１組み立て部４２２及び該第２組み立て部４３２は、それぞれ該ベース２４の該導光孔２５４のうち１つへ延伸する。該警告発光部材４４は、それぞれ該第１及び該第２組み立て部４２２，４３２上に取り付けられ、且つ該ベース２４の光出口２５６にそれぞれ対応し、該方向発光部材４５は、該方向ランプ取り付け部４２３上に取り付けられ、且つ光源を該側面導光面２４６上に投射する。
【００１６】
本実施例の該車両ランプは、１つのフォグランプモードにおいて、該フォグランプ発光部材３２が発生する光源が該フォグランプレンズ３３のレンズ主部３３１を透過し、光源をランプの光形及び輝度に符合させ、該フォグランプレンズ３３を利用して該フォグランプ発光部材３２をフォグランプに符合する光形及び輝度を発生させることは従来技術であり、本考案の改良の要点ではないので、ここでは詳細を記載しない。本実施例は、１つの発光警告のモードにおいて、該発光警告ユニット４の警告発光部材４４が起動され、それぞれ光源を該導光バー４１の入光面４１１に投射し、該導光バー４１に発光警告の光源を発生させ、該導光バー４１は、該ベース４１の凸環フレーム２５３の外周を囲い、且つ該導光バー４１は、可撓性の構造であり、故に該導光バー４１は、体積を縮小した状況で該車両ランプにフォグランプ機能及び発光警告機能を兼ね備える以外に、更に、必要に応じて該導光バー４１の形状を変化させ、該車両ランプに良好な識別性をもたせることができる。
【００１７】
本実施例の車両ランプが１つの方向警告モードにある状況おいて、該発光警告ユニット４の方向発光部材４５が起動され、該警告発光部材４４及び該フォグランプ発光部材３２が閉鎖され、該方向発光部材４５は、光源を該ベース２４の側面導光面２４６に投射し、該車両ランプの側辺へ投射し、従って、本実施例の該方向発光部材４５及び該ベース２４の側方向導光部２４３の組み合わせは、現有の車両の方向ランプと組み合わせ、車両側辺に位置する走行車両及び歩行者に注意するよう警告を補助し、車両のカーブ時の安全性を向上することができる。
【００１８】
以上の説明から分かるように、本考案の車両ランプは、視界不良の環境でフォグランプの光形及び輝度を提供することができる以外に、更に、該導光バー４１及び該警告発光部材４４の組み合わせにより、発光警告の効果を発生することができ、該方向発光部材４５及び該ベース２４の側方向導光部２４３の組み合わせは、車両の方向ランプと組み合わせ、車両のカーブ時の安全性を向上することもできる。更に重要であることとして、本考案の該発光警告ユニット４の導光バー４１は、該フォグランプレンズ３３に近接することができるので、体積を縮小し、現有の車両の規格に合わせることができ、該導光バー４１の任意に変形可能な形状の設計は、車両の識別性を向上することができる。
【００１９】
なお、本考案では好ましい実施例を前述の通り開示したが、これらは決して本考案を限定するものではなく、当該技術を熟知する者なら誰でも、本考案の趣旨と領域を脱しない均等の範囲内で各種の変更や修正を加えることができることは勿論である。
【符号の説明】
【００２０】
２  外殻
２１  取り付けソケット
２２  ランプカバー
２３  取り付け空間
２４  ベース
２４１  係合部
２４２  囲い環部
２４３  側方向導光部
２４４  開口
２４５  側面支持壁
２４６  側面導光面
２５  シェルフ部
２５１  シェルフ壁
２５２  フォグランプ取り付け孔
２５３  凸環フレーム
２５４  導光孔
２５５  凸壁
２５６  光出口
３  フォグランプユニット
３１  回路板
３２  フォグランプ発光部材
３３  フォグランプレンズ
３３１  レンズ主部
３３２  フレーム部
３３３  螺子
４  発光警告ユニット
４１  導光バー
４１１  入光面
４２  第１取り付け構造
４２１  第１固定部
４２２  第１組み立て部
４２３  方向ランプ取り付け部
４３  第２取り付け構造
４３１  第２固定部
４３２  第２組み立て部
４４  警告発光部材
４５  方向発光部材
【図１】
0003197661.tif 000003
【図２】
0003197661.tif 000004
【図３】
0003197661.tif 000005
【図４】
0003197661.tif 000006